(57)【要約】【課題】長時間使用することで、送風式薬液散布機では、液タンク内の異物によって目詰まりが発生する。【解決手段】送風式薬液散布機１は、液タンク６に薬液の供給管７を取外し可能に接続し、供給管７の取外しによって液タンク６のストレーナ３２が取り外し可能に構成され、液タンク６の薬液を送風管７の空気流と混合して散布する。【選択図】図３
2013090593.tif 000002
【特許請求の範囲】
【請求項１】
液タンクに薬液の供給管を取外し可能に接続し、
前記供給管の取外しによって前記液タンクのストレーナが取り外し可能に構成され、
前記液タンクの薬液を送風管の空気流と混合して散布する
送風式薬液散布機。
【請求項２】
前記ストレーナは、
前記液タンクから取外し可能な前記供給管に接続される
請求項１に記載の送風式薬液散布機。
【請求項３】
前記ストレーナは、
前記供給管の先端に突出するように接続され、
前記供給管の装着時に前記液タンクの内部に突出する
請求項１に記載の送風式薬液散布機。
【発明の詳細な説明】
【技術分野】
【０００１】
本発明は、液体や粉体のような薬剤を送風管の空気流と混合して散布する送風式薬液散布機に関する。
【背景技術】
【０００２】
液タンクに薬液を入れ、液タンクから供給する薬液を送風機の空気流と混合して散布する送風式薬液散布機が知られている（たとえば特許文献１）。
【先行技術文献】
【特許文献】
【０００３】
【特許文献１】米国特許２００９／０００８４７３号公報（ＵＳ２００９／０００８４７３  Ａ１）
【発明の概要】
【発明が解決しようとする課題】
【０００４】
しかしながら、特許文献１に示す送風式薬液散布機は、液タンクの下部にホースが接続されている。
液タンク内の薬液は、使用時に、ホースを通じて、空気流に噴霧するノズルへ供給される。
その結果、薬液に異物が混入していると、薬液とともに異物が送られて、ノズルでの目詰まり、液タンクからノズルまでの薬液の供給路に設けたバルブまたはコックでの目詰まり、が発生することがある。
【０００５】
長時間使用することで、送風式薬液散布機では、液タンク内の異物によって目詰まりが発生する。
【課題を解決するための手段】
【０００６】
本発明の送風式薬液散布機は、液タンクに薬液の供給管を取外し可能に接続し、供給管の取外しによって液タンクのストレーナが取り外し可能に構成され、液タンクの薬液を送風管の空気流と混合して散布する。
【０００７】
好適には、ストレーナは、液タンクから取外し可能な供給管に接続されてよい。
【０００８】
好適には、ストレーナは、供給管の先端に突出するように接続され、供給管の装着時に液タンクの内部に突出してよい。
【発明の効果】
【０００９】
本発明では、液タンクに対してストレーナを設けている。よって、本発明では、液タンク内の異物や沈殿した薬液が、使用時に、薬液の供給管へ供給され難い。供給管において、目詰まりが発生し難くなる。
しかも、このストレーナは、液タンクからの供給管の取外しによって取り外し可能に設けられる。よって、目詰まりしたストレーナの清掃または交換が容易である。
その結果、長時間使用しても、送風式薬液散布機において、液タンク内の異物によって目詰まりが発生し難くなる。
【図面の簡単な説明】
【００１０】
【図１】図１は、本発明の実施形態に係る送風式薬液散布機の斜視図である。
【図２】図２は、図１の送風式薬液散布機の主要機能を説明する図である。
【図３】図３は、図１の液タンクの模式的な断面図である。
【図４】図４は、図３の供給管の先端部分の分解図である。
【図５】図５は、図３の供給管を液タンクに取り付けた状態を示す断面図である。
【発明を実施するための形態】
【００１１】
図１は、本発明の実施形態に係る送風式薬液散布機１の斜視図である。
図２は、図１の送風式薬液散布機１の主要機能を説明する図である。
図１の送風式薬液散布機１は、エンジン２、送風機３、送風管４、加圧管５、液タンク６、供給管７、混合部８を有する。
作業者は、送風式薬液散布機１を背負って、送風管４を持って使用する。
液タンク６に貯蔵された薬液は、送風管４の空気流と混合されて霧状化し、空気流とともに送風管４から吹き出され、土地に散布される。
【００１２】
液タンク６は、たとえばプラスチック材料で形成された薬液の収容容器であり、送風式薬液散布機１のフレーム９の正面側に配置される。液タンク６の正面側の側面は、背当て面１０となる。これにより、液タンク６は、背負子として機能する。背当て面１０には、二本の背負いベルト１１が取り付けられる。作業者は、背負いベルト１１に腕を通し、背当て面１０が背中に当たる状態で、送風式薬液散布機１を背負う。
液タンク６の上部には、液タンクキャップ１２が取り外し可能に取り付けられる。液タンクキャップ１２を開けて、液タンク６の開口から薬液を入れる。液タンクキャップ１２を閉じて、液タンク６を密閉する。密閉された液タンク６は、送風機３の空気流で加圧できる。
【００１３】
送風機３およびエンジン２は、空気流を発生するものであり、フレーム９の下部に配置される。エンジン２の替わりにモータを使用してよい。エンジン２は、送風機３を回転駆動する。駆動された送風機３は、内蔵するファンで外気を吸引し、空気流を発生する。
【００１４】
送風管４は、空気流を放出するものであり、送風機３に接続される。送風管４は、送風機３側から、蛇腹管１３、円筒直管１４、先端絞り管１５を有する。円筒直管１４には、作業者が把持するハンドル１６が配置される。蛇腹管１３により、送風管４は曲がる。作業者は、送風式薬液散布機１を背負った状態で、送風管４の向きを調整できる。
送風機３の空気流は、送風管４を通じて、先端絞り管１５から外へ放出される。
【００１５】
加圧管５は、液タンク６内の薬液を加圧するものであり、液タンク６を貫通して配置される。液タンク６の外側にある加圧管５の一端は、送風機３に接続される。液タンク６の内側にある加圧管５の他端は、図２に示すように、液タンク６の底面に接する。加圧管５の他端には、逆止弁を内蔵した噴出部１７が接続される。
送風機３の空気流の一部は、加圧管５を通じて噴出部１７から液タンク６内に供給される。この一部の空気流の圧力により、液タンク６は加圧される。また、液タンク６の底面において移動可能な噴出部１７から空気を吹き出すことにより、液タンク６内の薬液を好適に撹拌できる。噴出部１７が液タンク６の底面上を移動することで、液タンク６の底面に薬液が沈殿し難くなる。
【００１６】
供給管７は、液タンク６から送風管４へ薬液を供給するものであり、一端が液タンク６に接続され、他端が混合部８に接続される。供給管７は、液タンク６の底面の横の側部に形成された供給口１８に接続される。
供給管７には、開閉弁１９が設けられる。開閉弁１９は、薬液の供給および停止を切り替えるものであり、円筒直管１４のハンドル１６の横に固定される。この位置に取り付けることにより、作業者は、ハンドル１６を把持しながら、指で開閉弁１９のコックを操作できる。
【００１７】
混合部８は、送風管４の円筒直管１４と先端絞り管１５との間に接続される。
混合部８は、図２に示すように、絞り部２０を有する。絞り部２０は、供給された空気流についてベンチュリ効果を発揮する。供給管７の他端に接続されたノズル２１の先端は、絞り部２０の上流側に位置する。液タンク６から供給される薬液は、ノズル２１から吐出され、絞り部２０において霧状になる。
【００１８】
使用時には、作業者は、液タンク６に薬液を入れた送風式薬液散布機１を背負い、ハンドル１６を把持する。作業者は、開閉弁１９のコックを開き、ハンドル１６のレバーを操作してエンジン２および送風機３を操作する。これにより、ミスト化された薬液が送風管４の先端から吹き出す。作業者は、送風管４の向きを調整して、薬液を所望の土地に散布できる。
保管時には、作業者は、送風式薬液散布機１を床に置く。また、蛇腹管１３により、送風管４を曲げて立てておくことができる。立てた送風管４の先端および混合部８は、液タンク６より上に位置する。開閉弁１９のコックを閉じ忘れたとしても、液タンク６の薬液がノズル２１から漏れ出さない。
【００１９】
図３は、図１の液タンク６の模式的な断面図である。図３の断面は、液タンク６の背当て面１０に沿った断面である。
図４は、図３の供給管７の先端部分の分解図である。図４には、液タンク６の底部の一部が図示されている。
図５は、図３の供給管７を液タンク６に取り付けた状態を示す断面図である。
【００２０】
液タンク６の供給口１８は、液タンク６の底面の横の側部に形成される。供給口１８の下端と、液タンク６の底面とは、面一になる。薬液を液タンク６に残さないように供給できる。
液タンク６の外面には、供給口１８の周囲の部分に、雄ねじ部３１が形成される。雄ねじ部３１は、液タンク６と一体成型される。
【００２１】
液タンク６は、ストレーナ３２を有する。ストレーナ３２は、たとえばメッシュ部分において液体と固体とを分離するものであり、供給口１８と重ねて配置される。ストレーナ３２は、供給口１８から液タンク６内に挿入可能なサイズの円筒形状を有する。液タンク６に設置されたストレーナ３２は、液タンク６の底面に沿って液タンク６内に突出し、液タンク６内の薬液から、異物等の固形成分を分離する。
図４に示すように、ストレーナ３２は、円筒形状の濾過部３３と、濾過部３３から突出する連結管３４と、穴開きパッキン３５とを有する。
濾過部３３は、メッシュ構造を有する。
連結管３４は、円筒形状の管部３６と、円板形状のリブ部３７とを有する。
リブ部３７は、管部３６の円筒の中央部分の外周において、全周に渡って立設される。リブ部３７は、管部３６に嵌められたドーナッツ形状を有する。
そして、濾過部３３と連結管３４とは、たとえばプラスチック材料により一体に成型される。
穴開きパッキン３５は、たとえばＯリングであり、弾性部材を円環形状に形成したものである。穴開きパッキン３５は、リブ部３７と濾過部３３との間に挟まれる。
【００２２】
液タンク６には、供給管７が接続される。
供給管７は、図４に示すように、ホース４１、穴開きキャップ４２を有する。
ストレーナ３２の管部３６は、ホース４１の先端に挿入される。
穴開きキャップ４２は、ブラスチック材料からなり、当該穴に管部３６が挿入される。穴開きキャップ４２は、ストレーナ３２のリブ部３７とホース４１との間に回転可能に挟まれる。穴開きキャップ４２は、ストレーナ３２のリブ部３７およびホース４１により、管部３６から脱落しないように保持される。
これにより、液タンク６のストレーナ３２と供給管７のホース４１とが連結される。
【００２３】
このように液タンク６のストレーナ３２が取り付けられた供給管７の先端部は、図５に示すように、穴開きキャップ４２と液タンク６の雄ねじ部３１とをねじ止めすることにより、液タンク６に固定される。
ストレーナ３２の穴開きパッキン３５の周縁部は、リブ部３７と雄ねじ部３１の先端縁との間に挟まれる。ねじ止め部分は、パッキン３５によりシールされる。送風機３の空気圧が液タンク６に作用しても、液タンク６の薬液は、ねじ止め部から漏れ出ない。
この取り付け状態において、ストレーナ３２は、液タンク６内に挿入される。ストレーナ３２は、液タンク６内に突出し、液タンク６の底面に沿って延在する。
【００２４】
以上のように、本実施形態の送風式薬液散布機１では、液タンク６にストレーナ３２を設ける。よって、液タンク６内の異物や沈殿した薬液が、使用時に、薬液の供給管７へ供給され難い。供給管７において、目詰まりが発生し難くなる。
しかも、このストレーナ３２は、液タンク６からの供給管７の取外しによって取り外し可能に設けられる。よって、目詰まりしたストレーナ３２の清掃または交換が容易である。
その結果、長時間使用しても、送風式薬液散布機１において、液タンク６内の異物によって目詰まりが発生し難くなる。
また、ストレーナ３２は、供給管７の先端に突出するように接続され、供給管７の装着時に液タンク６の内部に突出する。よって、ストレーナ３２は液タンク６内に突出し、大きな表面積により、ストレーナ３２において目詰まりが発生し難くなる。
【００２５】
本実施形態の液タンク６は、図３に示すように、縦長の箱形状を有する。そして、薬液の投入口５１は、縦長の液タンク６の上部に形成される。縦長の液タンク６の中央部には、液タンク６を前後方向で貫通して、送風機３への空気の供給路として使用される大径の貫通部５２が形成される。更に、当該大径の貫通部５２より上部には、液タンク６を前後方向で貫通して、液タンク６等をフレーム９等に固定するために使用される一対の貫通部５３，５３が形成される。液タンク６の底部に沈殿した薬液や異物を取り除き難い。
そこで、本実施形態の液タンク６のストレーナ３２は、液タンク６から取外し可能な供給管７に接続される。本実施形態では、液タンク６から供給管７を取外すことにより、液タンク６からストレーナ３２を取り外せる。
よって、本実施形態では、ストレーナ３２および液タンク６を容易に清掃できる。ストレーナ３２の交換も容易である。
しかも、本実施形態では、加圧管５の他端に接続した噴出部１７が、液タンク６の底面上を移動する。これにより、液タンク６の底面の沈殿物は拡散される。液タンク６の底面に沈殿物が堆積し難い。目詰まりを引き起こすような大きな沈殿物が発生し難い。ストレーナ３２の目詰まりも抑制される。
【００２６】
＜実施形態の構成及び効果＞
本実施形態の液タンク６の薬液を送風管４の空気流と混合して散布する送風式薬液散布機１は、液タンク６に薬液の供給管７を取外し可能に接続し、供給管７の取外しによって液タンク６のストレーナ３２が取り外し可能になる。
このような構成を有することから、ストレーナ３２の目詰まりが起きにくく、目詰まりしてもストレーナ３２の清掃や交換が容易であり、送風管４の開閉弁１９やノズル２１において目詰まりが起きにくくなる。
【００２７】
ストレーナ３２は、液タンク６から取外し可能な供給管７に接続される。
このような構成、つまり、ストレーナ３２が供給管７に接続されている構成、を有することから、供給管７を取り外した際に、供給管７と一緒にストレーナ３２が取り外されるため、容易にストレーナ３２の交換、ストレーナ３２の掃除・洗浄等が可能となる。
【００２８】
ストレーナ３２は、供給管７の先端に接続されて装着時に液タンク６内に突出する。
このような構成を有することから、作業者はより容易にストレーナ３２の掃除・洗浄等が可能となる。
【００２９】
ストレーナ３２は、管部３６と一体に形成されて管部３６の外周に立設するリブ部３７と、管部３６に接続された濾過部３３と、濾過部３３とリブ部３７との間に挟まれるパッキン３５（シール材）と、を有する。パッキン３５は、リブ部３７および濾過部３３により、管部３６から脱落しないように保持されつつ、周縁部がリブ部３７と雄ねじ部３１との間に挟まれる。
このような構成を有することから、簡易な構成で、供給管７と液タンク６との間から薬液が漏えいすることを防ぐとともに、ストレーナ３２も取り付けることが可能となる。
【００３０】
以上の実施形態は、本発明の好適な実施形態の例であるが、本発明はこれに限定されるものではなく、発明の要旨を逸脱しない範囲において種々の変形または変更が可能である。
【００３１】
たとえば上記実施形態では、液タンク６のストレーナ３２と供給管７のホース４１とは、ストレーナ３２の連結管３４により接続される。
この他にもたとえば、供給管７のホース４１の先端に連結管３４を取り付け、この連結管３４とストレーナ３２とを接続してもよい。
この場合、連結管３４の管部３６およびリブ部３７と同様な構造を、供給管７に形成してもよい。
【００３２】
上記実施形態では、供給管７と液タンク６とは、穴開きキャップ４２および雄ねじ部３１によりねじ止めされている。
この他にもたとえば、供給管７と液タンク６とは、係合部により取外し可能に接続されてよい。
【符号の説明】
【００３３】
１…送風式薬液散布機
６…液タンク
４…送風管
７…供給管
８…混合部
３２…ストレーナ
３５…パッキン（シール材）
３６…管部
３７…リブ部
４１…ホース
【図１】
2013090593.tif 000003
【図２】
2013090593.tif 000004
【図３】
2013090593.tif 000005
【図４】
2013090593.tif 000006
【図５】
2013090593.tif 000007